(57)【要約】【課題】ブラウザ連携サーバで受信端末のＩＰアドレスや端末名等の管理を行わないことにより、必要な処理上のオーバーヘッドを省略する。【解決手段】配信端末２２のブラウザ連携配信プログラム２２１は、起動されるとＷＥＢブラウザ２２２を起動し、ＷＥＢブラウザ２２２に入力されたＵＲＬを取得し、ＵＲＬ情報登録要求を作成し、インタネット５００経由でブラウザ連携サーバ１０へ送信する。ブラウザ連携受信プログラム３２１は、起動されるとＷＥＢブラウザ３２２を起動し、インタネット５００を経由しブラウザ連携サーバ１０へＵＲＬ情報取得要求を送信する。ブラウザ連携サーバ１０はＵＲＬ情報をＵＲＬ情報取得応答として、ブラウザ連携受信プログラム３２１へ返却する。ブラウザ連携受信プログラム３２１はブラウザ連携サーバ１０から返却されたＵＲＬ情報取得応答からＵＲＬを抜き出し、ＷＥＢブラウザ３２２に渡る。【選択図】      図１
2004220352.tif 000002
【特許請求の範囲】
【請求項１】
ＵＲＬが入力される配信ＷＥＢブラウザ手段、および、情報を共有する単位を表すグループＩＤが入力され、前記配信ＷＥＢブラウザ手段を起動し、前記配信ＷＥＢブラウザ手段に入力されたＵＲＬを取得し、入力されたグループＩＤを含むＵＲＬ情報登録要求を作成し、インタネットを介し送信するブラウザ連携配信手段を備える１以上の配信端末と、
渡されたＵＲＬで指定されるウェブページを表示する受信ＷＥＢブラウザ手段、および、グループＩＤが入力され、入力されたグループＩＤを含むＵＲＬ情報取得要求を前記インタネットを介し送信し、ＵＲＬ情報取得要求に対するＵＲＬ情報取得応答を前記インタネットを介し受信し、前記受信ＷＥＢブラウザ手段を起動し、ＵＲＬ情報取得応答に含まれるＵＲＬを前記受信ＷＥＢブラウザ手段に渡すブラウザ連携受信手段を備える１以上の受信端末と、
前記インタネットを介し前記ブラウザ連携配信手段から受け取ったＵＲＬ情報登録要求をＵＲＬ情報として記憶装置に格納し、前記インタネットを介し前記ブラウザ連携受信手段からＵＲＬ情報取得要求を受信するとＵＲＬ情報取得要求に含まれるグループＩＤに対応するＵＲＬ情報を前記記憶装置から読み出し、ＵＲＬ情報取得応答として、前記インタネットを介し前記ブラウザ連携受信手段へ送信するブラウザ連携サーバと、
を有することを特徴とするＷＥＢブラウザ連携システム。
【請求項２】
ＵＲＬが入力される配信ＷＥＢブラウザ手段、および、情報を共有する単位を表すグループＩＤが入力され、前記配信ＷＥＢブラウザ手段を起動し、前記配信ＷＥＢブラウザ手段に入力されたＵＲＬを取得し、入力されたグループＩＤを含むＵＲＬ情報登録要求を作成し、インタネットを介し送信するブラウザ連携配信手段を備える１以上の配信端末と、
渡されたＵＲＬで指定されるウェブページを表示する受信ＷＥＢブラウザ手段、および、グループＩＤが入力され、入力されたグループＩＤを含むＵＲＬ情報取得要求を前記インタネットを介し送信し、ＵＲＬ情報取得要求に対するＵＲＬ情報取得応答を前記インタネットを介し受信し、前記受信ＷＥＢブラウザ手段を起動し、ＵＲＬ情報取得応答に含まれるＵＲＬを前記受信ＷＥＢブラウザ手段に渡すブラウザ連携受信手段を備える１以上の受信端末と、
前記インタネットを介し前記ブラウザ連携配信手段から受け取ったＵＲＬ情報登録要求をＵＲＬ情報として記憶装置に格納し、前記インタネットを介し前記ブラウザ連携受信手段からＵＲＬ情報取得要求を受信するとＵＲＬ情報取得要求に含まれるグループＩＤに対応するＵＲＬ情報を前記記憶装置から読み出し、前記記憶装置から読み出したＵＲＬ情報に含まれるタイムスタンプがＵＲＬ情報取得要求に含まれるタイムスタンプより新しければ、前記記憶装置から読み出したＵＲＬ情報をＵＲＬ情報取得応答とし、そうでなければ、空のＵＲＬを含むＵＲＬ情報取得応答を作成し前記インタネットを介し前記ブラウザ連携受信手段へ送信するブラウザ連携サーバと、
を有することを特徴とするＷＥＢブラウザ連携システム。
【請求項３】
ＵＲＬが入力される配信ＷＥＢブラウザ手段、および、情報を共有する単位を表すグループＩＤが入力され、前記配信ＷＥＢブラウザ手段を起動し、前記配信ＷＥＢブラウザ手段に入力されたＵＲＬを取得し、入力されたグループＩＤを含むＵＲＬ情報登録要求を作成し送信するブラウザ連携配信手段を備える１以上の配信端末と、
定期的にＵＲＬ情報一覧取得要求をインタネットを介し送信し、前記インタネットを介し受信したＵＲＬ情報一覧取得応答をＵＲＬ情報一覧として格納し、ＵＲＬ情報取得要求を受信するとＵＲＬ情報取得要求に含まれるグループＩＤに対応するＵＲＬ情報を格納したＵＲＬ情報一覧から読み出し、ＵＲＬ情報取得応答として送信するブラウザ連携中継サーバと、
渡されたＵＲＬで指定されるウェブページを表示する受信ＷＥＢブラウザ手段、および、グループＩＤが入力され、入力されたグループＩＤを含むＵＲＬ情報取得要求を前記ブラウザ連携中継サーバへ送信し、ＵＲＬ情報取得要求に対するＵＲＬ情報取得応答を前記ブラウザ連携中継サーバから受信し、前記受信ＷＥＢブラウザ手段を起動し、ＵＲＬ情報取得応答に含まれるＵＲＬを前記受信ＷＥＢブラウザ手段に渡すブラウザ連携受信手段を備える１以上の受信端末と、
前記インタネットを介し前記ブラウザ連携配信手段から受け取ったＵＲＬ情報登録要求をＵＲＬ情報として記憶装置に格納し、前記インタネットを介し前記ブラウザ連携中継サーバからＵＲＬ情報一覧取得要求を受信するとＵＲＬ情報一覧を前記記憶装置から読み出し、ＵＲＬ情報一覧取得応答として、前記インタネットを介し前記ブラウザ連携中継サーバへ送信するブラウザ連携サーバと、
を有することを特徴とするＷＥＢブラウザ連携システム。
【請求項４】
ＵＲＬが入力される配信ＷＥＢブラウザ手段、および、情報を共有する単位を表すグループＩＤが入力され、前記配信ＷＥＢブラウザ手段を起動し、前記配信ＷＥＢブラウザ手段に入力されたＵＲＬを取得し、入力されたグループＩＤを含むＵＲＬ情報登録要求を作成し送信するブラウザ連携配信手段を備える１以上の配信端末と、
定期的にＵＲＬ情報一覧取得要求をインタネットを介し送信し、前記インタネットを介し受信したＵＲＬ情報一覧取得応答をＵＲＬ情報一覧として格納し、ＵＲＬ情報取得要求を受信すると、ＵＲＬ情報取得要求に含まれるグループＩＤに対応するＵＲＬ情報を格納したＵＲＬ情報一覧から読み出し、読み出したＵＲＬ情報に含まれるタイムスタンプがＵＲＬ情報取得要求に含まれるタイムスタンプより新しければ、読み出したＵＲＬ情報をＵＲＬ情報取得応答とし、そうでなければ、空のＵＲＬを含むＵＲＬ情報取得応答を作成し送信するブラウザ連携中継サーバと、
渡されたＵＲＬで指定されるウェブページを表示する受信ＷＥＢブラウザ手段、および、グループＩＤが入力され、入力されたグループＩＤを含むＵＲＬ情報取得要求を前記ブラウザ連携中継サーバへ送信し、ＵＲＬ情報取得要求に対するＵＲＬ情報取得応答を前記ブラウザ連携中継サーバから受信し、前記受信ＷＥＢブラウザ手段を起動し、ＵＲＬ情報取得応答に含まれるＵＲＬを前記受信ＷＥＢブラウザ手段に渡すブラウザ連携受信手段を備える１以上の受信端末と、
前記インタネットを介し前記ブラウザ連携配信手段から受け取ったＵＲＬ情報登録要求をＵＲＬ情報として記憶装置に格納し、前記インタネットを介し前記ブラウザ連携中継サーバからＵＲＬ情報一覧取得要求を受信するとＵＲＬ情報一覧を前記記憶装置から読み出し、ＵＲＬ情報一覧取得応答として、前記インタネットを介し前記ブラウザ連携中継サーバへ送信するブラウザ連携サーバと、
を有することを特徴とするＷＥＢブラウザ連携システム。
【請求項５】
ローカルエリアネットワーク内に、２以上の前記ブラウザ連携中継サーバ、２以上の前記受信端末を有することを特徴とする請求項３、または、請求項４記載のＷＥＢブラウザ連携システム。
【請求項６】
ＵＲＬが入力される配信ＷＥＢブラウザ手順と、情報を共有する単位を表すグループＩＤが入力され、前記配信ＷＥＢブラウザ手順を起動し、前記配信ＷＥＢブラウザ手順に入力されたＵＲＬを取得し、入力されたグループＩＤを含むＵＲＬ情報登録要求を作成し、インタネットを介し送信するブラウザ連携配信手順と、
渡されたＵＲＬで指定されるウェブページを表示する受信ＷＥＢブラウザ手順と、グループＩＤが入力され、入力されたグループＩＤを含むＵＲＬ情報取得要求を前記インタネットを介し送信し、ＵＲＬ情報取得要求に対するＵＲＬ情報取得応答を前記インタネットを介し受信し、前記受信ＷＥＢブラウザ手順を起動し、ＵＲＬ情報取得応答に含まれるＵＲＬを前記受信ＷＥＢブラウザ手順に渡すブラウザ連携受信手順と、
前記インタネットを介し前記ブラウザ連携配信手順から受け取ったＵＲＬ情報登録要求をＵＲＬ情報として記憶装置に格納し、前記インタネットを介し前記ブラウザ連携受信手順からＵＲＬ情報取得要求を受信するとＵＲＬ情報取得要求に含まれるグループＩＤに対応するＵＲＬ情報を前記記憶装置から読み出し、ＵＲＬ情報取得応答として、前記インタネットを介し前記ブラウザ連携受信手順へ送信するブラウザ連携サーバ手順と、
を含むことを特徴とするＷＥＢブラウザ連携方法。
【請求項７】
ＵＲＬが入力される配信ＷＥＢブラウザ手順と、情報を共有する単位を表すグループＩＤが入力され、前記配信ＷＥＢブラウザ手順を起動し、前記配信ＷＥＢブラウザ手順に入力されたＵＲＬを取得し、入力されたグループＩＤを含むＵＲＬ情報登録要求を作成し、インタネットを介し送信するブラウザ連携配信手順と、
渡されたＵＲＬで指定されるウェブページを表示する受信ＷＥＢブラウザ手順と、および、グループＩＤが入力され、入力されたグループＩＤを含むＵＲＬ情報取得要求を前記インタネットを介し送信し、ＵＲＬ情報取得要求に対するＵＲＬ情報取得応答を前記インタネットを介し受信し、前記受信ＷＥＢブラウザ手順を起動し、ＵＲＬ情報取得応答に含まれるＵＲＬを前記受信ＷＥＢブラウザ手順に渡すブラウザ連携受信手順と、
前記インタネットを介し前記ブラウザ連携配信手順から受け取ったＵＲＬ情報登録要求をＵＲＬ情報として記憶装置に格納し、前記インタネットを介し前記ブラウザ連携受信手順からＵＲＬ情報取得要求を受信するとＵＲＬ情報取得要求に含まれるグループＩＤに対応するＵＲＬ情報を前記記憶装置から読み出し、前記記憶装置から読み出したＵＲＬ情報に含まれるタイムスタンプがＵＲＬ情報取得要求に含まれるタイムスタンプより新しければ、前記記憶装置から読み出したＵＲＬ情報をＵＲＬ情報取得応答とし、そうでなければ、空のＵＲＬを含むＵＲＬ情報取得応答を作成し前記インタネットを介し前記ブラウザ連携受信手順へ送信するブラウザ連携サーバ手順と、
を含むことを特徴とするＷＥＢブラウザ連携方法。
【請求項８】
ＵＲＬが入力される配信ＷＥＢブラウザ手順と、情報を共有する単位を表すグループＩＤが入力され、前記配信ＷＥＢブラウザ手順を起動し、前記配信ＷＥＢブラウザ手順に入力されたＵＲＬを取得し、入力されたグループＩＤを含むＵＲＬ情報登録要求を作成し送信するブラウザ連携配信手順と、
定期的にＵＲＬ情報一覧取得要求をインタネットを介し送信し、前記インタネットを介し受信したＵＲＬ情報一覧取得応答をＵＲＬ情報一覧として格納し、ＵＲＬ情報取得要求を受信するとＵＲＬ情報取得要求に含まれるグループＩＤに対応するＵＲＬ情報を格納したＵＲＬ情報一覧から読み出し、ＵＲＬ情報取得応答として送信するブラウザ連携中継サーバ手順と、
渡されたＵＲＬで指定されるウェブページを表示する受信ＷＥＢブラウザ手順と、グループＩＤが入力され、入力されたグループＩＤを含むＵＲＬ情報取得要求を前記ブラウザ連携中継サーバ手順へ送信し、ＵＲＬ情報取得要求に対するＵＲＬ情報取得応答を前記ブラウザ連携中継サーバ手順から受信し、前記受信ＷＥＢブラウザ手順を起動し、ＵＲＬ情報取得応答に含まれるＵＲＬを前記受信ＷＥＢブラウザ手順に渡すブラウザ連携受信手順と、
前記インタネットを介し前記ブラウザ連携配信手順から受け取ったＵＲＬ情報登録要求をＵＲＬ情報として記憶装置に格納し、前記インタネットを介し前記ブラウザ連携中継サーバ手順からＵＲＬ情報一覧取得要求を受信するとＵＲＬ情報一覧を前記記憶装置から読み出し、ＵＲＬ情報一覧取得応答として、前記インタネットを介し前記ブラウザ連携中継サーバ手順へ送信するブラウザ連携サーバ手順と、
を含むことを特徴とするＷＥＢブラウザ連携方法。
【請求項９】
ＵＲＬが入力される配信ＷＥＢブラウザ手順と、情報を共有する単位を表すグループＩＤが入力され、前記配信ＷＥＢブラウザ手順を起動し、前記配信ＷＥＢブラウザ手順に入力されたＵＲＬを取得し、入力されたグループＩＤを含むＵＲＬ情報登録要求を作成し送信するブラウザ連携配信手順と、
定期的にＵＲＬ情報一覧取得要求をインタネットを介し送信し、前記インタネットを介し受信したＵＲＬ情報一覧取得応答をＵＲＬ情報一覧として格納し、ＵＲＬ情報取得要求を受信すると、ＵＲＬ情報取得要求に含まれるグループＩＤに対応するＵＲＬ情報を格納したＵＲＬ情報一覧から読み出し、読み出したＵＲＬ情報に含まれるタイムスタンプがＵＲＬ情報取得要求に含まれるタイムスタンプより新しければ、読み出したＵＲＬ情報をＵＲＬ情報取得応答とし、そうでなければ、空のＵＲＬを含むＵＲＬ情報取得応答を作成し送信するブラウザ連携中継サーバ手順と、
渡されたＵＲＬで指定されるウェブページを表示する受信ＷＥＢブラウザ手順と、グループＩＤが入力され、入力されたグループＩＤを含むＵＲＬ情報取得要求を前記ブラウザ連携中継サーバ手順へ送信し、ＵＲＬ情報取得要求に対するＵＲＬ情報取得応答を前記ブラウザ連携中継サーバ手順から受信し、前記受信ＷＥＢブラウザ手順を起動し、ＵＲＬ情報取得応答に含まれるＵＲＬを前記受信ＷＥＢブラウザ手順に渡すブラウザ連携受信手順と、
前記インタネットを介し前記ブラウザ連携配信手順から受け取ったＵＲＬ情報登録要求をＵＲＬ情報として記憶装置に格納し、前記インタネットを介し前記ブラウザ連携中継サーバ手順からＵＲＬ情報一覧取得要求を受信するとＵＲＬ情報一覧を前記記憶装置から読み出し、ＵＲＬ情報一覧取得応答として、前記インタネットを介し前記ブラウザ連携中継サーバ手順へ送信するブラウザ連携サーバ手順と、
を含むことを特徴とするＷＥＢブラウザ連携方法。
【請求項１０】
ＵＲＬが入力される配信ＷＥＢブラウザ手順と、情報を共有する単位を表すグループＩＤが入力され、前記配信ＷＥＢブラウザ手順を起動し、前記配信ＷＥＢブラウザ手順に入力されたＵＲＬを取得し、入力されたグループＩＤを含むＵＲＬ情報登録要求を作成し、インタネットを介し送信するブラウザ連携配信手順と、
渡されたＵＲＬで指定されるウェブページを表示する受信ＷＥＢブラウザ手順と、グループＩＤが入力され、入力されたグループＩＤを含むＵＲＬ情報取得要求を前記インタネットを介し送信し、ＵＲＬ情報取得要求に対するＵＲＬ情報取得応答を前記インタネットを介し受信し、前記受信ＷＥＢブラウザ手順を起動し、ＵＲＬ情報取得応答に含まれるＵＲＬを前記受信ＷＥＢブラウザ手順に渡すブラウザ連携受信手順と、
前記インタネットを介し前記ブラウザ連携配信手順から受け取ったＵＲＬ情報登録要求をＵＲＬ情報として記憶装置に格納し、前記インタネットを介し前記ブラウザ連携受信手順からＵＲＬ情報取得要求を受信するとＵＲＬ情報取得要求に含まれるグループＩＤに対応するＵＲＬ情報を前記記憶装置から読み出し、ＵＲＬ情報取得応答として、前記インタネットを介し前記ブラウザ連携受信手順へ送信するブラウザ連携サーバ手順と、
をコンピュータに実行させることを特徴とするＷＥＢブラウザ連携プログラム。
【請求項１１】
ＵＲＬが入力される配信ＷＥＢブラウザ手順と、情報を共有する単位を表すグループＩＤが入力され、前記配信ＷＥＢブラウザ手順を起動し、前記配信ＷＥＢブラウザ手順に入力されたＵＲＬを取得し、入力されたグループＩＤを含むＵＲＬ情報登録要求を作成し、インタネットを介し送信するブラウザ連携配信手順と、
渡されたＵＲＬで指定されるウェブページを表示する受信ＷＥＢブラウザ手順と、および、グループＩＤが入力され、入力されたグループＩＤを含むＵＲＬ情報取得要求を前記インタネットを介し送信し、ＵＲＬ情報取得要求に対するＵＲＬ情報取得応答を前記インタネットを介し受信し、前記受信ＷＥＢブラウザ手順を起動し、ＵＲＬ情報取得応答に含まれるＵＲＬを前記受信ＷＥＢブラウザ手順に渡すブラウザ連携受信手順と、
前記インタネットを介し前記ブラウザ連携配信手順から受け取ったＵＲＬ情報登録要求をＵＲＬ情報として記憶装置に格納し、前記インタネットを介し前記ブラウザ連携受信手順からＵＲＬ情報取得要求を受信するとＵＲＬ情報取得要求に含まれるグループＩＤに対応するＵＲＬ情報を前記記憶装置から読み出し、前記記憶装置から読み出したＵＲＬ情報に含まれるタイムスタンプがＵＲＬ情報取得要求に含まれるタイムスタンプより新しければ、前記記憶装置から読み出したＵＲＬ情報をＵＲＬ情報取得応答とし、そうでなければ、空のＵＲＬを含むＵＲＬ情報取得応答を作成し前記インタネットを介し前記ブラウザ連携受信手順へ送信するブラウザ連携サーバ手順と、
をコンピュータに実行させることを特徴とするＷＥＢブラウザ連携プログラム。
【請求項１２】
ＵＲＬが入力される配信ＷＥＢブラウザ手順と、情報を共有する単位を表すグループＩＤが入力され、前記配信ＷＥＢブラウザ手順を起動し、前記配信ＷＥＢブラウザ手順に入力されたＵＲＬを取得し、入力されたグループＩＤを含むＵＲＬ情報登録要求を作成し送信するブラウザ連携配信手順と、定期的にＵＲＬ情報一覧取得要求をインタネットを介し送信し、前記インタネットを介し受信したＵＲＬ情報一覧取得応答をＵＲＬ情報一覧として格納し、ＵＲＬ情報取得要求を受信するとＵＲＬ情報取得要求に含まれるグループＩＤに対応するＵＲＬ情報を格納したＵＲＬ情報一覧から読み出し、ＵＲＬ情報取得応答として送信するブラウザ連携中継サーバ手順と、
渡されたＵＲＬで指定されるウェブページを表示する受信ＷＥＢブラウザ手順と、グループＩＤが入力され、入力されたグループＩＤを含むＵＲＬ情報取得要求を前記ブラウザ連携中継サーバ手順へ送信し、ＵＲＬ情報取得要求に対するＵＲＬ情報取得応答を前記ブラウザ連携中継サーバ手順から受信し、前記受信ＷＥＢブラウザ手順を起動し、ＵＲＬ情報取得応答に含まれるＵＲＬを前記受信ＷＥＢブラウザ手順に渡すブラウザ連携受信手順と、
前記インタネットを介し前記ブラウザ連携配信手順から受け取ったＵＲＬ情報登録要求をＵＲＬ情報として記憶装置に格納し、前記インタネットを介し前記ブラウザ連携中継サーバ手順からＵＲＬ情報一覧取得要求を受信するとＵＲＬ情報一覧を前記記憶装置から読み出し、ＵＲＬ情報一覧取得応答として、前記インタネットを介し前記ブラウザ連携中継サーバ手順へ送信するブラウザ連携サーバ手順と、
をコンピュータに実行させることを特徴とするＷＥＢブラウザ連携プログラム。
【請求項１３】
ＵＲＬが入力される配信ＷＥＢブラウザ手順と、情報を共有する単位を表すグループＩＤが入力され、前記配信ＷＥＢブラウザ手順を起動し、前記配信ＷＥＢブラウザ手順に入力されたＵＲＬを取得し、入力されたグループＩＤを含むＵＲＬ情報登録要求を作成し送信するブラウザ連携配信手順と、定期的にＵＲＬ情報一覧取得要求をインタネットを介し送信し、前記インタネットを介し受信したＵＲＬ情報一覧取得応答をＵＲＬ情報一覧として格納し、ＵＲＬ情報取得要求を受信すると、ＵＲＬ情報取得要求に含まれるグループＩＤに対応するＵＲＬ情報を格納したＵＲＬ情報一覧から読み出し、読み出したＵＲＬ情報に含まれるタイムスタンプがＵＲＬ情報取得要求に含まれるタイムスタンプより新しければ、読み出したＵＲＬ情報をＵＲＬ情報取得応答とし、そうでなければ、空のＵＲＬを含むＵＲＬ情報取得応答を作成し送信するブラウザ連携中継サーバ手順と、
渡されたＵＲＬで指定されるウェブページを表示する受信ＷＥＢブラウザ手順と、グループＩＤが入力され、入力されたグループＩＤを含むＵＲＬ情報取得要求を前記ブラウザ連携中継サーバ手順へ送信し、ＵＲＬ情報取得要求に対するＵＲＬ情報取得応答を前記ブラウザ連携中継サーバ手順から受信し、前記受信ＷＥＢブラウザ手順を起動し、ＵＲＬ情報取得応答に含まれるＵＲＬを前記受信ＷＥＢブラウザ手順に渡すブラウザ連携受信手順と、
前記インタネットを介し前記ブラウザ連携配信手順から受け取ったＵＲＬ情報登録要求をＵＲＬ情報として記憶装置に格納し、前記インタネットを介し前記ブラウザ連携中継サーバ手順からＵＲＬ情報一覧取得要求を受信するとＵＲＬ情報一覧を前記記憶装置から読み出し、ＵＲＬ情報一覧取得応答として、前記インタネットを介し前記ブラウザ連携中継サーバ手順へ送信するブラウザ連携サーバ手順と、
をコンピュータに実行させることを特徴とするＷＥＢブラウザ連携プログラム。
【発明の詳細な説明】
【０００１】
【発明の属する技術分野】
本発明は、ＷＥＢブラウザ連携システム、ＷＥＢブラウザ連携方法、および、ＷＥＢブラウザ連携プログラムに関し、特に、リアルタイムな情報共有が行えるＷＥＢブラウザ連携システム、ＷＥＢブラウザ連携方法、および、ＷＥＢブラウザ連携プログラムに関する。
【０００２】
【従来の技術】
インタネットの発達により、インタネットを介した情報共有の手段は数多く検討されてきた。事前に共有情報を相手方に送付しておく方法や、画面に表示された情報を画像としてビットマップ等に変換して送付する方法があるが、前者は同期に問題があり、また後者はデータ量が多くなりネットワーク帯域の問題や同期に問題がある。
【０００３】
上記問題を解決するための方策として、特許文献１に示されるようなロケーション情報のみを送受信する技術がある。
【０００４】
また、特許文献２記載の技術は、各テレビ電話装置間で直接データの送受信を行うブラウザ連動切り替え手段を備えたテレビ電話システムである。
【０００５】
また、特許文献３記載の技術は、電子化資料の画面共有をインタネット上で利用可能とし、資料の暗号化によりセキュリティ機能を高める技術である。
【０００６】
また、特許文献４記載の技術は、グループの複数のメンバーでＵＲＬ情報を共有する技術である。
【０００７】
【特許文献１】
特開２００１−０１４２４４号公報
【特許文献２】
特開２０００−１７２６１１号公報
【特許文献３】
特開２００１−２５６１３７号公報
【特許文献４】
特開２００１−２６５６９５号公報
【０００８】
【発明が解決しようとする課題】
特許文献１記載の技術は、ロケーション情報を、ある端末から他の端末へ配信しなければならず、一方の端末がファイアウォールに保護されたＬＡＮ内に存在する場合、一般的にはＬＡＮ外からＬＡＮ内へファイアウォールを越えてデータの送信をおこなうことはできず、ロケーション情報の共有はできないという問題がある。
【０００９】
特許文献２〜特許文献４記載の技術では、情報の配信・登録について情報の配信者、または情報の登録者の操作がトリガとなっているので、会議やプレゼンテーションに途中から参加した場合、その参加者の情報は情報の配信者、または情報の登録者の操作が発生するまで、新たな参加者の情報は更新されないので、参加者にとって不便であるという問題がある。
【００１０】
また、特許文献２〜特許文献４記載の技術では、ＩＰアドレスと使用者との１対１対応を前提としているので使い勝手が悪いという問題がある。
【００１１】
本発明の目的は、ＩＰアドレスの管理をせず、会議資料やプレゼンテーション資料の更新を定期的、かつ自動的に行い、上記の問題を解決することである。
【００１２】
【課題を解決するための手段】
本発明の第１のＷＥＢブラウザ連携システムは、ＵＲＬが入力される配信ＷＥＢブラウザ手段、および、情報を共有する単位を表すグループＩＤが入力され、前記配信ＷＥＢブラウザ手段を起動し、前記配信ＷＥＢブラウザ手段に入力されたＵＲＬを取得し、入力されたグループＩＤを含むＵＲＬ情報登録要求を作成し、インタネットを介し送信するブラウザ連携配信手段を備える１以上の配信端末と、渡されたＵＲＬで指定されるウェブページを表示する受信ＷＥＢブラウザ手段、および、グループＩＤが入力され、入力されたグループＩＤを含むＵＲＬ情報取得要求を前記インタネットを介し送信し、ＵＲＬ情報取得要求に対するＵＲＬ情報取得応答を前記インタネットを介し受信し、前記受信ＷＥＢブラウザ手段を起動し、ＵＲＬ情報取得応答に含まれるＵＲＬを前記受信ＷＥＢブラウザ手段に渡すブラウザ連携受信手段を備える１以上の受信端末と、前記インタネットを介し前記ブラウザ連携配信手段から受け取ったＵＲＬ情報登録要求をＵＲＬ情報として記憶装置に格納し、前記インタネットを介し前記ブラウザ連携受信手段からＵＲＬ情報取得要求を受信するとＵＲＬ情報取得要求に含まれるグループＩＤに対応するＵＲＬ情報を前記記憶装置から読み出し、ＵＲＬ情報取得応答として、前記インタネットを介し前記ブラウザ連携受信手段へ送信するブラウザ連携サーバと、を有することを特徴とする。
【００１３】
本発明の第２のＷＥＢブラウザ連携システムは、ＵＲＬが入力される配信ＷＥＢブラウザ手段、および、情報を共有する単位を表すグループＩＤが入力され、前記配信ＷＥＢブラウザ手段を起動し、前記配信ＷＥＢブラウザ手段に入力されたＵＲＬを取得し、入力されたグループＩＤを含むＵＲＬ情報登録要求を作成し、インタネットを介し送信するブラウザ連携配信手段を備える１以上の配信端末と、渡されたＵＲＬで指定されるウェブページを表示する受信ＷＥＢブラウザ手段、および、グループＩＤが入力され、入力されたグループＩＤを含むＵＲＬ情報取得要求を前記インタネットを介し送信し、ＵＲＬ情報取得要求に対するＵＲＬ情報取得応答を前記インタネットを介し受信し、前記受信ＷＥＢブラウザ手段を起動し、ＵＲＬ情報取得応答に含まれるＵＲＬを前記受信ＷＥＢブラウザ手段に渡すブラウザ連携受信手段を備える１以上の受信端末と、前記インタネットを介し前記ブラウザ連携配信手段から受け取ったＵＲＬ情報登録要求をＵＲＬ情報として記憶装置に格納し、前記インタネットを介し前記ブラウザ連携受信手段からＵＲＬ情報取得要求を受信するとＵＲＬ情報取得要求に含まれるグループＩＤに対応するＵＲＬ情報を前記記憶装置から読み出し、前記記憶装置から読み出したＵＲＬ情報に含まれるタイムスタンプがＵＲＬ情報取得要求に含まれるタイムスタンプより新しければ、前記記憶装置から読み出したＵＲＬ情報をＵＲＬ情報取得応答とし、そうでなければ、空のＵＲＬを含むＵＲＬ情報取得応答を作成し前記インタネットを介し前記ブラウザ連携受信手段へ送信するブラウザ連携サーバと、を有することを特徴とする。
【００１４】
本発明の第３のＷＥＢブラウザ連携システムは、ＵＲＬが入力される配信ＷＥＢブラウザ手段、および、情報を共有する単位を表すグループＩＤが入力され、前記配信ＷＥＢブラウザ手段を起動し、前記配信ＷＥＢブラウザ手段に入力されたＵＲＬを取得し、入力されたグループＩＤを含むＵＲＬ情報登録要求を作成し送信するブラウザ連携配信手段を備える１以上の配信端末と、定期的にＵＲＬ情報一覧取得要求をインタネットを介し送信し、前記インタネットを介し受信したＵＲＬ情報一覧取得応答をＵＲＬ情報一覧として格納し、ＵＲＬ情報取得要求を受信するとＵＲＬ情報取得要求に含まれるグループＩＤに対応するＵＲＬ情報を格納したＵＲＬ情報一覧から読み出し、ＵＲＬ情報取得応答として送信するブラウザ連携中継サーバと、渡されたＵＲＬで指定されるウェブページを表示する受信ＷＥＢブラウザ手段、および、グループＩＤが入力され、入力されたグループＩＤを含むＵＲＬ情報取得要求を前記ブラウザ連携中継サーバへ送信し、ＵＲＬ情報取得要求に対するＵＲＬ情報取得応答を前記ブラウザ連携中継サーバから受信し、前記受信ＷＥＢブラウザ手段を起動し、ＵＲＬ情報取得応答に含まれるＵＲＬを前記受信ＷＥＢブラウザ手段に渡すブラウザ連携受信手段を備える１以上の受信端末と、前記インタネットを介し前記ブラウザ連携配信手段から受け取ったＵＲＬ情報登録要求をＵＲＬ情報として記憶装置に格納し、前記インタネットを介し前記ブラウザ連携中継サーバからＵＲＬ情報一覧取得要求を受信するとＵＲＬ情報一覧を前記記憶装置から読み出し、ＵＲＬ情報一覧取得応答として、前記インタネットを介し前記ブラウザ連携中継サーバへ送信するブラウザ連携サーバと、を有することを特徴とする。
【００１５】
本発明の第４のＷＥＢブラウザ連携システムは、ＵＲＬが入力される配信ＷＥＢブラウザ手段、および、情報を共有する単位を表すグループＩＤが入力され、前記配信ＷＥＢブラウザ手段を起動し、前記配信ＷＥＢブラウザ手段に入力されたＵＲＬを取得し、入力されたグループＩＤを含むＵＲＬ情報登録要求を作成し送信するブラウザ連携配信手段を備える１以上の配信端末と、定期的にＵＲＬ情報一覧取得要求をインタネットを介し送信し、前記インタネットを介し受信したＵＲＬ情報一覧取得応答をＵＲＬ情報一覧として格納し、ＵＲＬ情報取得要求を受信すると、ＵＲＬ情報取得要求に含まれるグループＩＤに対応するＵＲＬ情報を格納したＵＲＬ情報一覧から読み出し、読み出したＵＲＬ情報に含まれるタイムスタンプがＵＲＬ情報取得要求に含まれるタイムスタンプより新しければ、読み出したＵＲＬ情報をＵＲＬ情報取得応答とし、そうでなければ、空のＵＲＬを含むＵＲＬ情報取得応答を作成し送信するブラウザ連携中継サーバと、渡されたＵＲＬで指定されるウェブページを表示する受信ＷＥＢブラウザ手段、および、グループＩＤが入力され、入力されたグループＩＤを含むＵＲＬ情報取得要求を前記ブラウザ連携中継サーバへ送信し、ＵＲＬ情報取得要求に対するＵＲＬ情報取得応答を前記ブラウザ連携中継サーバから受信し、前記受信ＷＥＢブラウザ手段を起動し、ＵＲＬ情報取得応答に含まれるＵＲＬを前記受信ＷＥＢブラウザ手段に渡すブラウザ連携受信手段を備える１以上の受信端末と、前記インタネットを介し前記ブラウザ連携配信手段から受け取ったＵＲＬ情報登録要求をＵＲＬ情報として記憶装置に格納し、前記インタネットを介し前記ブラウザ連携中継サーバからＵＲＬ情報一覧取得要求を受信するとＵＲＬ情報一覧を前記記憶装置から読み出し、ＵＲＬ情報一覧取得応答として、前記インタネットを介し前記ブラウザ連携中継サーバへ送信するブラウザ連携サーバと、を有することを特徴とする。
【００１６】
本発明の第５のＷＥＢブラウザ連携システムは、前記第３、または、前記第４のＷＥＢブラウザ連携システムであって、ローカルエリアネットワーク内に、２以上の前記ブラウザ連携中継サーバ、２以上の前記受信端末を有することを特徴とする。
【００１７】
本発明の第１のＷＥＢブラウザ連携方法は、ＵＲＬが入力される配信ＷＥＢブラウザ手順と、情報を共有する単位を表すグループＩＤが入力され、前記配信ＷＥＢブラウザ手順を起動し、前記配信ＷＥＢブラウザ手順に入力されたＵＲＬを取得し、入力されたグループＩＤを含むＵＲＬ情報登録要求を作成し、インタネットを介し送信するブラウザ連携配信手順と、渡されたＵＲＬで指定されるウェブページを表示する受信ＷＥＢブラウザ手順と、グループＩＤが入力され、入力されたグループＩＤを含むＵＲＬ情報取得要求を前記インタネットを介し送信し、ＵＲＬ情報取得要求に対するＵＲＬ情報取得応答を前記インタネットを介し受信し、前記受信ＷＥＢブラウザ手順を起動し、ＵＲＬ情報取得応答に含まれるＵＲＬを前記受信ＷＥＢブラウザ手順に渡すブラウザ連携受信手順と、前記インタネットを介し前記ブラウザ連携配信手順から受け取ったＵＲＬ情報登録要求をＵＲＬ情報として記憶装置に格納し、前記インタネットを介し前記ブラウザ連携受信手順からＵＲＬ情報取得要求を受信するとＵＲＬ情報取得要求に含まれるグループＩＤに対応するＵＲＬ情報を前記記憶装置から読み出し、ＵＲＬ情報取得応答として、前記インタネットを介し前記ブラウザ連携受信手順へ送信するブラウザ連携サーバ手順と、を含むことを特徴とする。
【００１８】
本発明の第２のＷＥＢブラウザ連携方法は、ＵＲＬが入力される配信ＷＥＢブラウザ手順と、情報を共有する単位を表すグループＩＤが入力され、前記配信ＷＥＢブラウザ手順を起動し、前記配信ＷＥＢブラウザ手順に入力されたＵＲＬを取得し、入力されたグループＩＤを含むＵＲＬ情報登録要求を作成し、インタネットを介し送信するブラウザ連携配信手順と、渡されたＵＲＬで指定されるウェブページを表示する受信ＷＥＢブラウザ手順と、および、グループＩＤが入力され、入力されたグループＩＤを含むＵＲＬ情報取得要求を前記インタネットを介し送信し、ＵＲＬ情報取得要求に対するＵＲＬ情報取得応答を前記インタネットを介し受信し、前記受信ＷＥＢブラウザ手順を起動し、ＵＲＬ情報取得応答に含まれるＵＲＬを前記受信ＷＥＢブラウザ手順に渡すブラウザ連携受信手順と、前記インタネットを介し前記ブラウザ連携配信手順から受け取ったＵＲＬ情報登録要求をＵＲＬ情報として記憶装置に格納し、前記インタネットを介し前記ブラウザ連携受信手順からＵＲＬ情報取得要求を受信するとＵＲＬ情報取得要求に含まれるグループＩＤに対応するＵＲＬ情報を前記記憶装置から読み出し、前記記憶装置から読み出したＵＲＬ情報に含まれるタイムスタンプがＵＲＬ情報取得要求に含まれるタイムスタンプより新しければ、前記記憶装置から読み出したＵＲＬ情報をＵＲＬ情報取得応答とし、そうでなければ、空のＵＲＬを含むＵＲＬ情報取得応答を作成し前記インタネットを介し前記ブラウザ連携受信手順へ送信するブラウザ連携サーバ手順と、を含むことを特徴とする。
【００１９】
本発明の第３のＷＥＢブラウザ連携方法は、ＵＲＬが入力される配信ＷＥＢブラウザ手順と、情報を共有する単位を表すグループＩＤが入力され、前記配信ＷＥＢブラウザ手順を起動し、前記配信ＷＥＢブラウザ手順に入力されたＵＲＬを取得し、入力されたグループＩＤを含むＵＲＬ情報登録要求を作成し送信するブラウザ連携配信手順と、定期的にＵＲＬ情報一覧取得要求をインタネットを介し送信し、前記インタネットを介し受信したＵＲＬ情報一覧取得応答をＵＲＬ情報一覧として格納し、ＵＲＬ情報取得要求を受信するとＵＲＬ情報取得要求に含まれるグループＩＤに対応するＵＲＬ情報を格納したＵＲＬ情報一覧から読み出し、ＵＲＬ情報取得応答として送信するブラウザ連携中継サーバ手順と、渡されたＵＲＬで指定されるウェブページを表示する受信ＷＥＢブラウザ手順と、グループＩＤが入力され、入力されたグループＩＤを含むＵＲＬ情報取得要求を前記ブラウザ連携中継サーバ手順へ送信し、ＵＲＬ情報取得要求に対するＵＲＬ情報取得応答を前記ブラウザ連携中継サーバ手順から受信し、前記受信ＷＥＢブラウザ手順を起動し、ＵＲＬ情報取得応答に含まれるＵＲＬを前記受信ＷＥＢブラウザ手順に渡すブラウザ連携受信手順と、前記インタネットを介し前記ブラウザ連携配信手順から受け取ったＵＲＬ情報登録要求をＵＲＬ情報として記憶装置に格納し、前記インタネットを介し前記ブラウザ連携中継サーバ手順からＵＲＬ情報一覧取得要求を受信するとＵＲＬ情報一覧を前記記憶装置から読み出し、ＵＲＬ情報一覧取得応答として、前記インタネットを介し前記ブラウザ連携中継サーバ手順へ送信するブラウザ連携サーバ手順と、を含むことを特徴とする。
【００２０】
本発明の第４のＷＥＢブラウザ連携方法は、ＵＲＬが入力される配信ＷＥＢブラウザ手順と、情報を共有する単位を表すグループＩＤが入力され、前記配信ＷＥＢブラウザ手順を起動し、前記配信ＷＥＢブラウザ手順に入力されたＵＲＬを取得し、入力されたグループＩＤを含むＵＲＬ情報登録要求を作成し送信するブラウザ連携配信手順と、定期的にＵＲＬ情報一覧取得要求をインタネットを介し送信し、前記インタネットを介し受信したＵＲＬ情報一覧取得応答をＵＲＬ情報一覧として格納し、ＵＲＬ情報取得要求を受信すると、ＵＲＬ情報取得要求に含まれるグループＩＤに対応するＵＲＬ情報を格納したＵＲＬ情報一覧から読み出し、読み出したＵＲＬ情報に含まれるタイムスタンプがＵＲＬ情報取得要求に含まれるタイムスタンプより新しければ、読み出したＵＲＬ情報をＵＲＬ情報取得応答とし、そうでなければ、空のＵＲＬを含むＵＲＬ情報取得応答を作成し送信するブラウザ連携中継サーバ手順と、渡されたＵＲＬで指定されるウェブページを表示する受信ＷＥＢブラウザ手順と、グループＩＤが入力され、入力されたグループＩＤを含むＵＲＬ情報取得要求を前記ブラウザ連携中継サーバ手順へ送信し、ＵＲＬ情報取得要求に対するＵＲＬ情報取得応答を前記ブラウザ連携中継サーバ手順から受信し、前記受信ＷＥＢブラウザ手順を起動し、ＵＲＬ情報取得応答に含まれるＵＲＬを前記受信ＷＥＢブラウザ手順に渡すブラウザ連携受信手順と、前記インタネットを介し前記ブラウザ連携配信手順から受け取ったＵＲＬ情報登録要求をＵＲＬ情報として記憶装置に格納し、前記インタネットを介し前記ブラウザ連携中継サーバ手順からＵＲＬ情報一覧取得要求を受信するとＵＲＬ情報一覧を前記記憶装置から読み出し、ＵＲＬ情報一覧取得応答として、前記インタネットを介し前記ブラウザ連携中継サーバ手順へ送信するブラウザ連携サーバ手順と、を含むことを特徴とする。
【００２１】
本発明の第１のＷＥＢブラウザ連携プログラムは、ＵＲＬが入力される配信ＷＥＢブラウザ手順と、情報を共有する単位を表すグループＩＤが入力され、前記配信ＷＥＢブラウザ手順を起動し、前記配信ＷＥＢブラウザ手順に入力されたＵＲＬを取得し、入力されたグループＩＤを含むＵＲＬ情報登録要求を作成し、インタネットを介し送信するブラウザ連携配信手順と、渡されたＵＲＬで指定されるウェブページを表示する受信ＷＥＢブラウザ手順と、グループＩＤが入力され、入力されたグループＩＤを含むＵＲＬ情報取得要求を前記インタネットを介し送信し、ＵＲＬ情報取得要求に対するＵＲＬ情報取得応答を前記インタネットを介し受信し、前記受信ＷＥＢブラウザ手順を起動し、ＵＲＬ情報取得応答に含まれるＵＲＬを前記受信ＷＥＢブラウザ手順に渡すブラウザ連携受信手順と、前記インタネットを介し前記ブラウザ連携配信手順から受け取ったＵＲＬ情報登録要求をＵＲＬ情報として記憶装置に格納し、前記インタネットを介し前記ブラウザ連携受信手順からＵＲＬ情報取得要求を受信するとＵＲＬ情報取得要求に含まれるグループＩＤに対応するＵＲＬ情報を前記記憶装置から読み出し、ＵＲＬ情報取得応答として、前記インタネットを介し前記ブラウザ連携受信手順へ送信するブラウザ連携サーバ手順と、をコンピュータに実行させることを特徴とする。
【００２２】
本発明の第２のＷＥＢブラウザ連携プログラムは、ＵＲＬが入力される配信ＷＥＢブラウザ手順と、情報を共有する単位を表すグループＩＤが入力され、前記配信ＷＥＢブラウザ手順を起動し、前記配信ＷＥＢブラウザ手順に入力されたＵＲＬを取得し、入力されたグループＩＤを含むＵＲＬ情報登録要求を作成し、インタネットを介し送信するブラウザ連携配信手順と、渡されたＵＲＬで指定されるウェブページを表示する受信ＷＥＢブラウザ手順と、および、グループＩＤが入力され、入力されたグループＩＤを含むＵＲＬ情報取得要求を前記インタネットを介し送信し、ＵＲＬ情報取得要求に対するＵＲＬ情報取得応答を前記インタネットを介し受信し、前記受信ＷＥＢブラウザ手順を起動し、ＵＲＬ情報取得応答に含まれるＵＲＬを前記受信ＷＥＢブラウザ手順に渡すブラウザ連携受信手順と、前記インタネットを介し前記ブラウザ連携配信手順から受け取ったＵＲＬ情報登録要求をＵＲＬ情報として記憶装置に格納し、前記インタネットを介し前記ブラウザ連携受信手順からＵＲＬ情報取得要求を受信するとＵＲＬ情報取得要求に含まれるグループＩＤに対応するＵＲＬ情報を前記記憶装置から読み出し、前記記憶装置から読み出したＵＲＬ情報に含まれるタイムスタンプがＵＲＬ情報取得要求に含まれるタイムスタンプより新しければ、前記記憶装置から読み出したＵＲＬ情報をＵＲＬ情報取得応答とし、そうでなければ、空のＵＲＬを含むＵＲＬ情報取得応答を作成し前記インタネットを介し前記ブラウザ連携受信手順へ送信するブラウザ連携サーバ手順と、をコンピュータに実行させることを特徴とする。
【００２３】
本発明の第３のＷＥＢブラウザ連携プログラムは、ＵＲＬが入力される配信ＷＥＢブラウザ手順と、情報を共有する単位を表すグループＩＤが入力され、前記配信ＷＥＢブラウザ手順を起動し、前記配信ＷＥＢブラウザ手順に入力されたＵＲＬを取得し、入力されたグループＩＤを含むＵＲＬ情報登録要求を作成し送信するブラウザ連携配信手順と、定期的にＵＲＬ情報一覧取得要求をインタネットを介し送信し、前記インタネットを介し受信したＵＲＬ情報一覧取得応答をＵＲＬ情報一覧として格納し、ＵＲＬ情報取得要求を受信するとＵＲＬ情報取得要求に含まれるグループＩＤに対応するＵＲＬ情報を格納したＵＲＬ情報一覧から読み出し、ＵＲＬ情報取得応答として送信するブラウザ連携中継サーバ手順と、渡されたＵＲＬで指定されるウェブページを表示する受信ＷＥＢブラウザ手順と、グループＩＤが入力され、入力されたグループＩＤを含むＵＲＬ情報取得要求を前記ブラウザ連携中継サーバ手順へ送信し、ＵＲＬ情報取得要求に対するＵＲＬ情報取得応答を前記ブラウザ連携中継サーバ手順から受信し、前記受信ＷＥＢブラウザ手順を起動し、ＵＲＬ情報取得応答に含まれるＵＲＬを前記受信ＷＥＢブラウザ手順に渡すブラウザ連携受信手順と、前記インタネットを介し前記ブラウザ連携配信手順から受け取ったＵＲＬ情報登録要求をＵＲＬ情報として記憶装置に格納し、前記インタネットを介し前記ブラウザ連携中継サーバ手順からＵＲＬ情報一覧取得要求を受信するとＵＲＬ情報一覧を前記記憶装置から読み出し、ＵＲＬ情報一覧取得応答として、前記インタネットを介し前記ブラウザ連携中継サーバ手順へ送信するブラウザ連携サーバ手順と、をコンピュータに実行させることを特徴とする。
【００２４】
本発明の第４のＷＥＢブラウザ連携プログラムは、ＵＲＬが入力される配信ＷＥＢブラウザ手順と、情報を共有する単位を表すグループＩＤが入力され、前記配信ＷＥＢブラウザ手順を起動し、前記配信ＷＥＢブラウザ手順に入力されたＵＲＬを取得し、入力されたグループＩＤを含むＵＲＬ情報登録要求を作成し送信するブラウザ連携配信手順と、定期的にＵＲＬ情報一覧取得要求をインタネットを介し送信し、前記インタネットを介し受信したＵＲＬ情報一覧取得応答をＵＲＬ情報一覧として格納し、ＵＲＬ情報取得要求を受信すると、ＵＲＬ情報取得要求に含まれるグループＩＤに対応するＵＲＬ情報を格納したＵＲＬ情報一覧から読み出し、読み出したＵＲＬ情報に含まれるタイムスタンプがＵＲＬ情報取得要求に含まれるタイムスタンプより新しければ、読み出したＵＲＬ情報をＵＲＬ情報取得応答とし、そうでなければ、空のＵＲＬを含むＵＲＬ情報取得応答を作成し送信するブラウザ連携中継サーバ手順と、渡されたＵＲＬで指定されるウェブページを表示する受信ＷＥＢブラウザ手順と、グループＩＤが入力され、入力されたグループＩＤを含むＵＲＬ情報取得要求を前記ブラウザ連携中継サーバ手順へ送信し、ＵＲＬ情報取得要求に対するＵＲＬ情報取得応答を前記ブラウザ連携中継サーバ手順から受信し、前記受信ＷＥＢブラウザ手順を起動し、ＵＲＬ情報取得応答に含まれるＵＲＬを前記受信ＷＥＢブラウザ手順に渡すブラウザ連携受信手順と、前記インタネットを介し前記ブラウザ連携配信手順から受け取ったＵＲＬ情報登録要求をＵＲＬ情報として記憶装置に格納し、前記インタネットを介し前記ブラウザ連携中継サーバ手順からＵＲＬ情報一覧取得要求を受信するとＵＲＬ情報一覧を前記記憶装置から読み出し、ＵＲＬ情報一覧取得応答として、前記インタネットを介し前記ブラウザ連携中継サーバ手順へ送信するブラウザ連携サーバ手順と、をコンピュータに実行させることを特徴とする。
【００２５】
【発明の実施の形態】
次に、本発明の第１の実施の形態について図面を参照して詳細に説明する。
【００２６】
図１は、本発明の第１の実施の形態の構成を示すブロック図である。
【００２７】
図４は、ＵＲＬ情報登録要求の内容を示す説明図である。
【００２８】
図５は、ＵＲＬ情報登録応答の内容を示す説明図である。
【００２９】
図６は、ＵＲＬ情報取得要求の内容を示す説明図である。
【００３０】
図７は、ＵＲＬ情報取得応答の内容を示す説明図である。
【００３１】
図１を参照すると、本発明の第１の実施の形態は、ブラウザ連携サーバ１０と、ファイアウォール２１、および、ブラウザ連携配信プログラム２２１、ＷＥＢブラウザ２２２からなる配信端末２２を備えるローカルエリアネットワークシステムであるＬＡＮ２０（１以上）と、ファイアウォール３１、および、ブラウザ連携受信プログラム３２１、ＷＥＢブラウザ３２２からなる受信端末３２を備えるローカルエリアネットワークシステムであるＬＡＮ３０（１以上）と、ＷＷＷサーバ６００と、これらを相互に接続するインタネット５００とから構成される。
【００３２】
ブラウザ連携サーバ１０は、ＬＡＮ２０内に存在する配信端末２２からファイアウォールに対して透過的な通信プロトコルであるＨＴＴＰ、または、ＳＭＴＰを使用してファイアウォール２１を通過し、インタネット５００を経由して送信されたＵＲＬ情報登録要求（図４で示される）を受け取り、受け取ったＵＲＬ情報登録要求をＵＲＬ情報として、ブラウザ連携サーバ１０内の主記憶装置、またはディスク装置などの記憶装置にすでに格納されているＵＲＬ情報を更新し、正常に登録できたか否かの情報をＵＲＬ情報登録応答（図５で示される）として、インタネット５００、およびファイアウォール２１を経由して配信端末２２へ返却する機能を備えている。
【００３３】
ＵＲＬ情報内のＵＲＬが示すウェブページとしての会議資料やプレゼンテーション資料は通常、ＷＷＷサーバ６００に登録されているが、指定されたＵＲＬがＷＷＷサーバ６００以外を示していてもよい。
【００３４】
ブラウザ連携サーバ１０は、さらに、ＬＡＮ３０内に存在する受信端末３２からファイアウォールに対して透過的な通信プロトコルであるＨＴＴＰ、または、ＳＭＴＰを使用してファイアウォール３１を通過し、インタネット５００を経由して送信されたＵＲＬ情報取得要求（図６で示される）に対して、ブラウザ連携サーバ１０内の主記憶装置、または、ディスク装置などの記憶装置に格納されたＵＲＬ情報を取り出し、ＵＲＬ情報取得応答（図７で示される）を作成し、インタネット５００、および、ファイアウォール３１を経由して受信端末３２へ返却する機能を備えている。
【００３５】
ブラウザ連携サーバ１０は、ＵＲＬ情報取得要求からグループＩＤを取り出し、そのグループＩＤに該当するブラウザ連携サーバ１０内に登録済みのＵＲＬ情報からタイムスタンプを取り出し、ＵＲＬ情報取得要求に含まれているタイムスタンプと比較し、登録済みのＵＲＬ情報から取り出したタイムスタンプが、ＵＲＬ情報取得要求に含まれているタイムスタンプより新しい場合、ブラウザ連携サーバ１０に登録済みのＵＲＬ情報に含まれるＵＲＬをＵＲＬ情報取得応答のＵＲＬとし、そうでなければ、ＵＲＬ情報取得応答に含まれるＵＲＬは空とする。
【００３６】
ＬＡＮ２０は、ファイアウォール２１と配信端末２２とから構成され、インタネット５００へアクセス可能である。ファイアウォール２１は、実際には、ＬＡＮ２０とインタネット５００との間に位置し、外部からの不正なアクセスからＬＡＮ２０を保護する機能を備えている。配信端末２２は、ファイアウォール２１で保護されたＬＡＮ２０内に存在し、ブラウザ連携配信プログラム２２１とＷＥＢブラウザ２２２とからなる。
【００３７】
ブラウザ連携配信プログラム２２１は、発言者、または、プレゼンテータにより起動されると、ＷＥＢブラウザ２２２を起動し、発言者、または、プレゼンテータがＷＷＷサーバ６００にウェブページとして登録されている会議資料やプレゼンテーション資料をＷＥＢブラウザ２２２に表示するためにＷＥＢブラウザ２２２に入力されたＵＲＬを取得し、ＵＲＬ情報登録要求（図４）を作成し、ファイアウォール２１、および、インタネット５００経由でブラウザ連携サーバ１０へ送信し、送信したＵＲＬ情報の格納結果をＵＲＬ情報登録応答（図５）として受け取る機能を備えている。
【００３８】
ＬＡＮ３０は、ファイアウォール３１と受信端末３２とから構成され、インタネット５００へアクセス可能である。ファイアウォール３１は、実際にはＬＡＮ３０とインタネット５００の間に位置し、ＬＡＮ３０を外部からの不正なアクセスから保護する機能を備えている。受信端末３２は、ファイアウォール３１で保護されたＬＡＮ３０内に存在し、ブラウザ連携受信プログラム３２１とＷＥＢブラウザ３２２とからなる。ブラウザ連携受信プログラム３２１は、会議、またはプレゼンテーションの参加者により起動されると、ＷＥＢブラウザ３２２を起動し、ファイアウォール３１、および、インタネット５００を経由してＵＲＬ情報取得要求（図６）をブラウザ連携サーバ１０へ送信し、登録されているＵＲＬ情報をＵＲＬ情報取得応答（図７）として受け取る。ブラウザ連携受信プログラム３２１は、ブラウザ連携サーバ１０から取得したＵＲＬ情報取得応答からＵＲＬを抜き出し、抜き出したＵＲＬをＷＥＢブラウザ３２２に渡し、表示させる機能を備えている。
【００３９】
次に、本発明の第１の実施の形態の動作について図面を参照して説明する。
【００４０】
図２、図３は、本発明の第１の実施の形態の動作を示すフローチャートである。
【００４１】
図２、図３を参照すると、会議のリーダ、または、プレゼンテーションの発表者は、配信端末２２から情報を共有する単位を表すグループＩＤを与えて、ブラウザ連携配信プログラム２２１を起動する（図２ステップＡ１）。
【００４２】
ブラウザ連携配信プログラム２２１は、起動されるとＷＥＢブラウザ２２２を起動する（図２ステップＡ２）。会議のリーダ、または、プレゼンテーションの発表者は、ＷＥＢブラウザ２２２が起動されると、事前にＷＷＷサーバ６００に登録しておいたウェブページとしての会議資料、またはプレゼンテーション資料を表示するためのＵＲＬをＷＥＢブラウザ２２２の画面から入力する（図２ステップＡ３）。
【００４３】
ＷＥＢブラウザ２２２は、ＷＷＷサーバ６００からＵＲＬで指定された会議資料、またはプレゼンテーション資料のウェブページをダウンロードし、画面に表示する（図２ステップＡ４）。ブラウザ連携配信プログラム２２１は、ＷＥＢブラウザ２２２から表示されたウェブページを示すＵＲＬを取得する（図２ステップＡ５）。ブラウザ連携配信プログラム２２１は、ＷＥＢブラウザ２２２から取得したＵＲＬを含むＵＲＬ情報登録要求（図４）を作成し、ブラウザ連携サーバ１０へ送信する（図２ステップＡ６）。タイムスタンプは、その時の年月日、時刻である。
【００４４】
ブラウザ連携サーバ１０は、ブラウザ連携配信プログラム２２１から受け取ったＵＲＬ情報登録要求をＵＲＬ情報とし、ＵＲＬ情報登録要求に含まれるグループＩＤに対応する登録済みのＵＲＬ情報をＵＲＬ情報登録要求から作成したＵＲＬ情報で更新する（図２ステップＡ７）。ＵＲＬ情報は、グループＩＤ対応に１つずつ存在する。
【００４５】
ブラウザ連携サーバ１０は、グループＩＤ、対応するＵＲＬ情報の更新結果（更新したかどうかを示す）をＵＲＬ情報登録応答（図５）としてブラウザ連携配信プログラム２２１へ送信する（図２ステップＡ８）。ブラウザ連携配信プログラム２２１は、以降、会議のリーダ、または、プレゼンテーションの発表者がＷＥＢブラウザ２２２に表示されているウェブページの画面から別のリンクをクリックし（図３ステップＡ１６）、そのリンクのＵＲＬに対応するウェブページを表示する（図３ステップＡ１７）動作に合わせて、図２ステップＡ５〜図２ステップＡ８までを繰り返し実施する。
【００４６】
会議の参加者、または、プレゼンテーションの聴取者は、受信端末３２から情報を共有する単位を表すグループＩＤを与えて、ブラウザ連携受信プログラム３２１を起動する（図３ステップＡ９）。ブラウザ連携受信プログラム３２１は、起動されるとＷＥＢブラウザ３２２を起動する（図３ステップＡ１０）。
【００４７】
ブラウザ連携受信プログラム３２１は、ＷＥＢブラウザ３２２が正常に起動されると、ＵＲＬ情報取得要求（図６）を作成し、ブラウザ連携サーバ１０へ送信する（図３ステップＡ１１）。あるグループＩＤに対するＵＲＬ情報取得要求のタイムスタンプは、ブラウザ連携受信プログラム３２１が起動された場合には、デフォルトの値（必ず、ＵＲＬ情報取得応答のＵＲＬが空でない値）であり、すでに起動されている場合には、前回のＵＲＬ情報取得応答に含まれたタイムスタンプである。
【００４８】
ブラウザ連携サーバ１０は、ブラウザ連携受信プログラム３２１から受け取ったＵＲＬ情報取得要求に含まれているグループＩＤに対応するブラウザ連携サーバ１０内のＵＲＬ情報内のタイムスタンプと、ＵＲＬ情報取得要求に含まれているタイムスタンプとを比較し、ブラウザ連携サーバ１０内のＵＲＬ情報内のタイムスタンプの方がより新しい場合、ブラウザ連携サーバ１０の記憶領域に格納されているＵＲＬ情報を取り出し、ＵＲＬ情報取得応答（図７）としてブラウザ連携受信プログラム３２１へ送信する（図３ステップＡ１２）。ブラウザ連携サーバ１０内のＵＲＬ情報内のタイムスタンプの方がより古いか、または、同じである場合、ブラウザ連携サーバ１０は、ＵＲＬ情報取得応答のＵＲＬは、空のままブラウザ連携受信プログラム３２１へ送信する。
【００４９】
ブラウザ連携受信プログラム３２１は、ブラウザ連携サーバ１０から受け取ったＵＲＬ情報取得応答からＵＲＬを取り出し、ＵＲＬが空でない場合、ＷＥＢブラウザ３２２へ取り出したＵＲＬを渡す（図３ステップＡ１３）。ＷＥＢブラウザ３２２はブラウザ連携受信プログラム３２１から受け取ったＵＲＬで指定されたウェブページ（会議資料、または、プレゼンテーション資料）をＷＷＷサーバ６００からダウンロードし、画面に表示する（図３ステップＡ１４）。
【００５０】
また、以降、ブラウザ連携受信プログラム３２１は、ブラウザ連携サーバ１０へＵＲＬ情報取得要求を送信し、ＵＲＬ情報取得応答に含まれるＵＲＬが空の場合は、何もしない（図３ステップＡ１５）。ブラウザ連携受信プログラム３２１は、以降、ＵＲＬ情報取得要求をブラウザ連携サーバ１０へ送信し、ブラウザ連携サーバ１０に格納されているＵＲＬ情報を取得し、受け取ったＵＲＬが空でなければ、ＷＥＢブラウザ３２２にＵＲＬを渡し、ＵＲＬが示すウェブページを表示させる、という図３ステップＡ１１〜図３ステップＡ１５までの処理を定期的に繰り返す。
【００５１】
次に、本発明の第２の実施の形態について図面を参照して詳細に説明する。
【００５２】
図８は、本発明の第２の実施の形態の構成を示すブロック図である。
【００５３】
図８を参照すると、本発明の第２の実施の形態は、本発明の第１の実施の形態に対して、ローカルエリアネットワークであるＬＡＮ４０が追加され、ＬＡＮ３０、および、ＬＡＮ４０内に、それぞれ、負荷分散のためのブラウザ連携中継サーバ３３、ブラウザ連携中継サーバ４３が追加された構成をとる。また、ＬＡＮ４０には、ファイアウォール４１、受信端末４２が備えられ、受信端末４２は、ブラウザ連携受信プログラム４２１、ＷＥＢブラウザ４２２を含む。
【００５４】
ＬＡＮ３０、ＬＡＮ４０にそれぞれ追加されるブラウザ連携中継サーバ３３、ブラウザ連携中継サーバ４３は、ＬＡＮ３０、ＬＡＮ４０に含まれる受信端末３２、受信端末４２が各々、たとえば、数十台〜数百台規模となる場合等に、負荷分散のため設置することが有効である。
【００５５】
次に、本発明の第２の実施の形態の動作について図面を参照して説明する。
【００５６】
図９、図１０は、本発明の第２の実施の形態の動作を示すフローチャートである。
【００５７】
図１１は、ＵＲＬ情報一覧取得応答の内容を示す説明図である。
【００５８】
図９、図１０を参照すると、会議のリーダ、または、プレゼンテーションの発表者が配信端末２２から情報を共有する単位を表すグループＩＤを与えて、ブラウザ連携配信プログラム２２１を起動し、ブラウザ連携サーバ１０が、グループＩＤに対応したＵＲＬ情報の更新結果をＵＲＬ情報登録応答（図５）としてブラウザ連携配信プログラム２２１へ送信する（図９ステップＢ１〜ステップＢ８）動作は、第１の実施の形態と同様である。
【００５９】
ブラウザ連携配信プログラム２２１は、会議のリーダ、または、プレゼンテーションの発表者がＷＥＢブラウザ２２２に表示されているウェブページの画面から別のリンクをクリックし（図１０ステップＢ２０）、そのリンクのＵＲＬに対応するウェブページを表示する（図１０ステップＢ２１）動作に合わせて、図９ステップＢ５〜図９ステップＢ８までを繰り返し実施するのは、本発明の第１の実施の形態と同一である。
【００６０】
ブラウザ連携中継サーバ３３とブラウザ連携中継サーバ４３とは同一の機能を持つ。ブラウザ連携中継サーバ３３、または、ブラウザ連携中継サーバ４３はブラウザ連携サーバ１０へＵＲＬ情報一覧取得要求を送信する（図９ステップＢ９）。ブラウザ連携サーバ１０は、記憶領域に登録されている全てのＵＲＬ情報から、ＵＲＬ情報一覧取得応答（図１１で示される）を作成し、ブラウザ連携中継サーバ３３、または、ブラウザ連携中継サーバ４３へ返却する（図９ステップＢ１０）。ブラウザ連携中継サーバ３３、または、ブラウザ連携中継サーバ４３は、ブラウザ連携サーバ１０から返却されたＵＲＬ情報で記憶領域に登録されているＵＲＬ情報を更新する（図９ステップＢ１１）。
【００６１】
会議の参加者、または、プレゼンテーションの聴取者は、受信端末３２、または、受信端末４２から情報を共有する単位を表すグループＩＤを与えて、ブラウザ連携受信プログラム３２１、または、ブラウザ連携受信プログラム４２１を起動し、ブラウザ連携受信プログラム３２１、または、ブラウザ連携受信プログラム４２１がＵＲＬ情報取得要求を作成し、ブラウザ連携中継サーバ３３、または、ブラウザ連携中継サーバ４３へ送信する動作（図１０ステップＢ１２〜ステップＢ１４）は、送信先がブラウザ連携中継サーバ３３、または、ブラウザ連携中継サーバ４３である点を除いて本発明の第１の実施の形態と同様である。
【００６２】
ブラウザ連携中継サーバ３３、または、ブラウザ連携中継サーバ４３はブラウザ連携受信プログラム３２１、または、ブラウザ連携受信プログラム４２１からＵＲＬ情報取得要求を受け取ると、ＵＲＬ情報取得要求に含まれているグループＩＤに対応するブラウザ連携中継サーバ３３、または、ブラウザ連携中継サーバ４３内のＵＲＬ情報に含まれるタイムスタンプと、ＵＲＬ情報取得要求に含まれているタイムスタンプとを比較し、ブラウザ連携中継サーバ３３、または、ブラウザ連携中継サーバ４３内のＵＲＬ情報内のタイムスタンプの方がより新しい場合、ブラウザ連携中継サーバ３３、または、ブラウザ連携中継サーバ４３の記憶領域に格納されているＵＲＬ情報を取り出し、ＵＲＬ情報取得応答（図７）としてブラウザ連携受信プログラム３２１、または、ブラウザ連携受信プログラム４２１へ送信する（図１０ステップＢ１５）。
【００６３】
ブラウザ連携中継サーバ３３、または、ブラウザ連携中継サーバ４３内のＵＲＬ情報内のタイムスタンプの方がより古いか、または、同じである場合、ブラウザ連携中継サーバ３３、または、ブラウザ連携中継サーバ４３は、ＵＲＬ情報取得応答のＵＲＬは、空のままブラウザ連携受信プログラム３２１、またはブラウザ連携受信プログラム４２１へ送信する。
【００６４】
ブラウザ連携受信プログラム３２１、または、ブラウザ連携受信プログラム４２１は、ブラウザ連携中継サーバ３３、またはブラウザ連携中継サーバ４３から受け取ったＵＲＬ情報取得応答からＵＲＬを取り出し、ＵＲＬが空でない場合、ＷＥＢブラウザ３２２は、または、ＷＥＢブラウザ４２２へＵＲＬを渡す（図１０ステップＢ１６）。ＷＥＢブラウザ３２２は、または、ＷＥＢブラウザ４２２は、ブラウザ連携受信プログラム３２１、または、ブラウザ連携受信プログラム４２１から受け取ったＵＲＬに従って、受け取ったＵＲＬが示すウェブページ（会議資料、または、プレゼンテーション資料）をダウンロードし、画面に表示する（図１０ステップＢ１７）。
【００６５】
また、ブラウザ連携受信プログラム３２１は、ブラウザ連携サーバ１０へＵＲＬ情報取得要求を送信し、ＵＲＬ情報取得応答に含まれるＵＲＬが空の場合は、何もしない。
【００６６】
ブラウザ連携中継サーバ３３、または、ブラウザ連携中継サーバ４３は、ブラウザ連携サーバ１０に対して定期的にＵＲＬ情報一覧取得要求を送信し、ＵＲＬ情報一覧取得応答に含まれるＵＲＬ情報で記憶領域に格納されているＵＲＬ情報を更新する処理を繰り返す（図１０ステップＢ１８）。ブラウザ連携受信プログラム３２１、または、ブラウザ連携受信プログラム４２１は、ブラウザ連携中継サーバ３３、または、ブラウザ連携中継サーバ４３へ定期的にＵＲＬ情報取得要求を送信し、ＵＲＬ情報取得応答に含まれるＵＲＬに従って処理を行う（図１０ステップＢ１９）。
【００６７】
次に、本発明の第３の実施の形態について図面を参照して詳細に説明する。
【００６８】
図１２は、本発明の第３の実施の形態の構成を示すブロック図である。
【００６９】
図１２を参照すると、本発明の第３の実施の形態は、ＬＡＮ３０に負荷分散のためのブラウザ連携中継サーバ３３、および、ブラウザ連携中継サーバ３５、および、受信端末３４を追加する点で第１の実施例、および第２の実施の形態と異なる。受信端末３４は、ブラウザ連携受信プログラム３４１、ＷＥＢブラウザ３４２を備える。ＬＡＮ３０に含まれる受信端末の台数が数百台規模となる場合、ブラウザ連携中継サーバ３３、および、ブラウザ連携中継サーバ３５を設置することにより、ブラウザ連携中継サーバ１台あたりの負荷を１／２に軽減することが可能である。
【００７０】
次に、本発明の第３の実施の形態の動作について説明する。
【００７１】
図１３、図１４は、本発明の第３の実施の形態の動作を示すフローチャートである。
【００７２】
図１３、図１４を参照すると、図１２のブラウザ連携中継サーバ３５を図８のブラウザ連携中継サーバ４３に、図１２のブラウザ連携受信プログラム３４１を図８のブラウザ連携受信プログラム４２１に、図１２のＷＥＢブラウザ３４２を図８のＷＥＢブラウザ４２２に置き換えると本発明の第３の実施の形態の動作は本発明の第２の実施の形態の動作と同様である。
次に、本発明の第４の実施の形態について説明する。
【００７３】
本発明の第４の実施の形態は、ＵＲＬが入力される配信ＷＥＢブラウザ手順と、情報を共有する単位を表すグループＩＤが入力され、前記配信ＷＥＢブラウザ手順を起動し、前記配信ＷＥＢブラウザ手順に入力されたＵＲＬを取得し、入力されたグループＩＤを含むＵＲＬ情報登録要求を作成し送信するブラウザ連携配信手順と、
定期的にＵＲＬ情報一覧取得要求をインタネット５００を介し送信し、インタネット５００を介し受信したＵＲＬ情報一覧取得応答をＵＲＬ情報一覧として格納し、ＵＲＬ情報取得要求を受信すると、ＵＲＬ情報取得要求に含まれるグループＩＤに対応するＵＲＬ情報を格納したＵＲＬ情報一覧から読み出し、読み出したＵＲＬ情報に含まれるタイムスタンプがＵＲＬ情報取得要求に含まれるタイムスタンプより新しければ、読み出したＵＲＬ情報をＵＲＬ情報取得応答とし、そうでなければ、空のＵＲＬを含むＵＲＬ情報取得応答を作成し送信するブラウザ連携中継サーバ手順と、
渡されたＵＲＬで指定されるウェブページを表示する受信ＷＥＢブラウザ手順と、グループＩＤが入力され、入力されたグループＩＤを含むＵＲＬ情報取得要求を前記ブラウザ連携中継サーバ手順へ送信し、ＵＲＬ情報取得要求に対するＵＲＬ情報取得応答を前記ブラウザ連携中継サーバ手順から受信し、前記受信ＷＥＢブラウザ手順を起動し、ＵＲＬ情報取得応答に含まれるＵＲＬを前記受信ＷＥＢブラウザ手順に渡すブラウザ連携受信手順と、
インタネット５００を介し前記ブラウザ連携配信手順から受け取ったＵＲＬ情報登録要求をＵＲＬ情報として記憶装置に格納し、インタネット５００を介し前記ブラウザ連携中継サーバ手順からＵＲＬ情報一覧取得要求を受信するとＵＲＬ情報一覧を前記記憶装置から読み出し、ＵＲＬ情報一覧取得応答として、インタネット５００を介し前記ブラウザ連携中継サーバ手順へ送信するブラウザ連携サーバ手順とを含む方法である。
【００７４】
次に、本発明の第５の実施の形態について説明する。
【００７５】
本発明の第５の実施の形態は、ＵＲＬが入力される配信ＷＥＢブラウザ手順と、情報を共有する単位を表すグループＩＤが入力され、前記配信ＷＥＢブラウザ手順を起動し、前記配信ＷＥＢブラウザ手順に入力されたＵＲＬを取得し、入力されたグループＩＤを含むＵＲＬ情報登録要求を作成し送信するブラウザ連携配信手順と、
定期的にＵＲＬ情報一覧取得要求をインタネット５００を介し送信し、インタネット５００を介し受信したＵＲＬ情報一覧取得応答をＵＲＬ情報一覧として格納し、ＵＲＬ情報取得要求を受信すると、ＵＲＬ情報取得要求に含まれるグループＩＤに対応するＵＲＬ情報を格納したＵＲＬ情報一覧から読み出し、読み出したＵＲＬ情報に含まれるタイムスタンプがＵＲＬ情報取得要求に含まれるタイムスタンプより新しければ、読み出したＵＲＬ情報をＵＲＬ情報取得応答とし、そうでなければ、空のＵＲＬを含むＵＲＬ情報取得応答を作成し送信するブラウザ連携中継サーバ手順と、
渡されたＵＲＬで指定されるウェブページを表示する受信ＷＥＢブラウザ手順と、グループＩＤが入力され、入力されたグループＩＤを含むＵＲＬ情報取得要求を前記ブラウザ連携中継サーバ手順へ送信し、ＵＲＬ情報取得要求に対するＵＲＬ情報取得応答を前記ブラウザ連携中継サーバ手順から受信し、前記受信ＷＥＢブラウザ手順を起動し、ＵＲＬ情報取得応答に含まれるＵＲＬを前記受信ＷＥＢブラウザ手順に渡すブラウザ連携受信手順と、
インタネット５００を介し前記ブラウザ連携配信手順から受け取ったＵＲＬ情報登録要求をＵＲＬ情報として記憶装置に格納し、インタネット５００を介し前記ブラウザ連携中継サーバ手順からＵＲＬ情報一覧取得要求を受信するとＵＲＬ情報一覧を前記記憶装置から読み出し、ＵＲＬ情報一覧取得応答として、インタネット５００を介し前記ブラウザ連携中継サーバ手順へ送信するブラウザ連携サーバ手順とをコンピュータに実行させるプログラムである。
【００７６】
【発明の効果】
第１の効果は、ＷＥＢブラウザを利用したリアルタイムな情報共有が行えることである。
【００７７】
その理由は、ブラウザ連携サーバには、常に最新のＵＲＬ情報しか保持しないため、会議のリーダ、または、プレゼンテーションのプレゼンテータが表示している情報と会議の参加者、またはプレゼンテーションの聴取者が表示している情報とは常に同期が取れるからである。
【００７８】
第２の効果は、インタネット通信アプリケーションでしばしば問題となるファイアウォール通過の問題を回避することが可能となることである。
【００７９】
その理由は、ＵＲＬ情報の伝達方法をブラウザ連携サーバからブラウザ連携受信プログラムへのプッシュ配信ではなく、ブラウザ連携受信プログラム３２１からブラウザ連携サーバへのリクエストに対するレスポンスで伝達するプル配信を行うからである。
【００８０】
第３の効果は、１台のブラウザ連携サーバで複数の共有グループを扱えることである。
【００８１】
その理由は、ＵＲＬ情報にグループＩＤを含めることにより、複数の共有グループの識別が可能となり、サーバ資源の共有、および、節約が可能となるからである。
【００８２】
第４の効果は、ブラウザ連携サーバではブラウザ連携受信プログラムの管理をおこなわないため、構成が簡単なことであるである。
【００８３】
その理由は、ブラウザ連携サーバで受信端末のＩＰアドレスや端末名等の管理を行わないことにより、アドレス検索や、アドレスと端末名の変換等に必要な処理上のオーバーヘッドを省くことが可能となるからである。
【図面の簡単な説明】
【図１】本発明の第１の実施の形態の構成を示すブロック図である。
【図２】本発明の第１の実施の形態の動作を示すフローチャートである。
【図３】本発明の第１の実施の形態の動作を示すフローチャートである。
【図４】ＵＲＬ情報登録要求の内容を示す説明図である。
【図５】ＵＲＬ情報登録応答の内容を示す説明図である。
【図６】ＵＲＬ情報取得要求の内容を示す説明図である。
【図７】ＵＲＬ情報取得応答の内容を示す説明図である。
【図８】本発明の第２の実施の形態の構成を示すブロック図である。
【図９】本発明の第２の実施の形態の動作を示すフローチャートである。
【図１０】本発明の第２の実施の形態の動作を示すフローチャートである。
【図１１】ＵＲＬ情報一覧取得応答の内容を示す説明図である。
【図１２】本発明の第３の実施の形態の構成を示すブロック図である。
【図１３】本発明の第３の実施の形態の動作を示すフローチャートである。
【図１４】本発明の第３の実施の形態の動作を示すフローチャートである。
【符号の説明】
１０    ブラウザ連携サーバ
２０    ＬＡＮ
２１    ファイアウォール
２２    配信端末
３０    ＬＡＮ
３１    ファイアウォール
３２    受信端末
３３    ブラウザ連携中継サーバ
３４    受信端末
３５    ブラウザ連携中継サーバ
４０    ＬＡＮ
４１    ファイアウォール
４２    受信端末
４３    ブラウザ連携中継サーバ
２２１    ブラウザ連携配信プログラム
２２２    ＷＥＢブラウザ
３２１    ブラウザ連携受信プログラム
３２２    ＷＥＢブラウザ
３４１    ブラウザ連携受信プログラム
３４２    ＷＥＢブラウザ
４２１    ブラウザ連携受信プログラム
４２２    ＷＥＢブラウザ
５００    インタネット
６００    ＷＷＷサーバ
【図１】
2004220352.tif 000003
【図２】
2004220352.tif 000004
【図３】
2004220352.tif 000005
【図４】
2004220352.tif 000006
【図５】
2004220352.tif 000007
【図６】
2004220352.tif 000008
【図７】
2004220352.tif 000009
【図８】
2004220352.tif 000010
【図９】
2004220352.tif 000011
【図１０】
2004220352.tif 000012
【図１１】
2004220352.tif 000013
【図１２】
2004220352.tif 000014
【図１３】
2004220352.tif 000015
【図１４】
2004220352.tif 000016